(57)【要約】【課題】刃物等を使用した犯罪に対して、安全に使用できる防犯器具を提供する。【解決手段】伸縮式警棒の先端ポールの先端内面にアタッチメント取付け用ネジ部を設け、そこに先端保護キャップを係合したアタッチメント取替可能な警棒とする。アタッチメントには、金属製棒状基台の先端部側面に３本の金属製棒を、正面視１２０°の間隔をあけて、側面視前方方向に約３０°の角度で、溶接した三股アタッチメント、金属製基台の先端部に金属製パイプを固定し、その金属製パイプ基端部に湾曲した金属製パイプからなる足掛けを溶接した足掛けアタッチメント、および金属製基台の先端部に金属製パイプを固定し、その金属製パイプ先端部に両方向に湾曲した二つの足掛けを溶接した二股足掛けアタッチメント等がある。【選択図】図１１
2007192523.tif 000002
【特許請求の範囲】
【請求項１】
伸縮式警棒において、先端ポールの先端内面にアタッチメント取付け用ネジ部を設け、このネジ部に先端保護キャップを係合したアタッチメント取替可能な警棒。
【請求項２】
伸縮式警棒において、先端ポールの先端内面にアタッチメント取付け用ネジ部を設け、このネジ部に先端保護キャップの代わりに、
金属製棒状基台の下部にアタッチメント取り付け用ネジ部と係合するネジを設け、
金属製棒状基台の先端部側面に３本の金属製棒を、正面視１２０°の間隔をあけて、側面視、前方方向に約３０°の角度で、均等に溶接することにより形成した三股アタッチメントを係合したことを特徴とする三股アタッチメント取付警棒。
【請求項３】
伸縮式警棒において、先端ポールの先端内面にアタッチメント取付け用ネジ部を設け、このネジ部に先端保護キャップの代わりに、
金属製ポールの下部にアタッチメント取り付け用ネジ部と係合するネジを設け、
金属製ポールの基端部に湾曲した金属製パイプからなる足掛けを溶接することにより形成した足掛けアタッチメントを係合したことを特徴とする足掛けアタッチメント取付警棒。
【請求項４】
伸縮式警棒において、先端ポールの先端内面にアタッチメント取付け用ネジ部を設け、このネジ部に先端保護キャップの代わりに、
金属製ポールの下部にアタッチメント取り付け用ネジ部と係合するネジを設け、
金属製ポールの先端部に両方向に湾曲した金属製パイプからなる二つの足掛けを溶接することにより形成した二股足掛けアタッチメントを係合したことを特徴とする二股足掛けアタッチメント取付警棒。
【発明の詳細な説明】
【技術分野】
【０００１】
本発明は、警棒の先端部にアタッチメントを取替可能に係合して取付けることができる伸縮式警棒に関するものである。
【背景技術】
【０００２】
従来の警棒は、棒状の警棒のみならず、径の異なる複数本の筒体を入れ子式に組合せて伸縮可能とした伸縮式警棒が良く知られている。このものは、入れ子式の警棒本体を押し込めば全長を縮めることができるから、例えば腰に吊り下げても邪魔にならず、携帯性が非常に良い。
【０００３】
しかし、伸長しても棒状であるから、手で握って使用する際に、手や手首を相手の武器から保護することはできない。
そのために、鍔や各種のアタッチメントを警棒本体のグリップ部に取付ける特殊警棒が提案されている。しかしながら、刃物を持った凶悪犯を制圧するには非常に危険である。
【特許文献１】特開平０８−０４２９９６号公報
【特許文献２】特開平０５−０７９７９４号公報
【特許文献３】特開平０５−０９９５９５号公報
【特許文献４】特開平０５−２８０８９７号公報
【特許文献５】特開平０６−００７４６２号公報
【０００４】
また、江戸時代から、犯人逮捕のために使用する刺す股がある。従来の刺す股は、柄がながく、刺す股を持った者が数人がかりで犯人に対処しなければ効果が期待できない。
そして、刺す股は、人間の中心部あたりに押しつけて使用する為に、犯人の凶器を持っている両手に対しては効果が無く、特に長物の凶器の場合、反対に攻撃される恐れがあるのが最大の欠点である。
さらに、警棒と刺す股とを組み合わせることも提案されている。この従来例は、刺す股の柄を短くしたパイプ状柄の中に警棒を収納したものである。使用時には、刺す股のパイプ状柄の中から警棒を取り出し、片手に刺す股、他方の手には警棒を握って使用するものであって、使い勝手が良いものとはいえない。
【特許文献６】特開２００５−１４０４８６号公報
【０００５】
一方、本出願人は、前記従来例を改良するものとして、鉄棒の先端部の位置に、３本の鉄製パイプを、正面視１２０°の間隔をあけて、側面視、前方方向に約４５°の角度で、均等に溶接することにより鉄製の三つ股先端部を形成し、次いで、３本の鉄製パイプの先端には各々先端保護キャップを被せ、この三股先端部を警杖の先端に固定して取付けたことを特徴とする三股警杖を特許出願した。しかし、従来例の欠点は改善されたが、伸縮時でも１００ｃｍを超す長さなので、携帯するには、少し大きくて不便であった。
【特許文献７】特願２００５−３０６８５８号
【発明の開示】
【発明が解決しようとする課題】
【０００６】
解決しようとする問題点は、前記従来技術の欠点を改善し、刃物等を使用した犯罪に対して、従来の特殊警棒よりもはるかに使い易く、安全に使用できる防犯器具を提供することである。
【課題を解決するための手段】
【０００７】
本発明は、伸縮式警棒において、先端ポールの先端内面にアタッチメント取付用ネジ部を設け、このネジ部に先端保護キャップを係合して、アタッチメント取替可能な警棒としたことを最も主要な特徴とする。
アタッチメントとしては、金属製棒状基台の下部に先端ポールのアタッチメント取付用ネジ部と係合するネジ部を設け、金属製棒状基台の先端部側面に３本の金属製棒を、正面視１２０°の間隔をあけて、側面視、前方方向に約４５°の角度で、均等に溶接することにより形成した三股アタッチメントである。
また、金属製棒状基台の下部に先端ポールのアタッチメント取付用ネジ部と係合するネジ部を設け、金属製棒状基台の先端部に所定長さの金属製パイプを固定し、金属製パイプの基端部に沿って伸び、その先が湾曲した金属製パイプからなる足掛けを金属製パイプの基端部に溶接することにより形成した足掛けアタッチメントである。
さらに、金属製棒状基台の下部にアタッチメント取付用ネジ部と係合するネジ部を設け、金属製棒状基台の先端部に所定長さの金属製パイプを固定し、金属製パイプの先端部には両方向に湾曲した金属製パイプからなる二股足掛けを設けた二股足掛けアタッチメントである。
その他に、先端ポールに設けたアタッチメント取付用ネジ部に係合するアタッチメントなら何でも利用できる。
【発明の効果】
【０００８】
本発明のアタッチメント取り付け可能な警棒は、多種多様の犯人に対応して、用途に合わせて最も適した形状で使用できる各種のアタッチメントを必要に応じて取り付けることができる。
三股アタッチメントを取付けた場合には、警棒先端の三股で犯人が使用する刃物や犯人の手首等を受け止める事ができ、従来の警棒よりも使用者の体から離れた位置で止められるため負傷する確立が減少する。
また、足掛けアタッチメントを取付けた場合には、犯人の逃亡を防ぐことができる。
【発明を実施するための最良の形態】
【０００９】
伸縮式警棒において、先端ポールの先端内面にアタッチメント取付用ネジ部を設け、このネジ部に先端保護キャップを係合して、必要なアタッチメントを取替可能に取付ることにより実現した。
アタッチメントとしては、先端ポールのアタッチメント取付用ネジ部に係合することができるようにした三股アタッチメントおよび足掛けアタッチメント等がある。
【実施例１】
【００１０】
実施例１は、三段伸縮式警棒において、先端ポールの先端内面にアタッチメント取付用ネジ部を設け、このネジ部に先端保護キャップを係合したアタッチメント取替可能な警棒の例である。
本発明に係る実施例１の三段伸縮式警棒１は、先端ポール部２、中間ポール部３、および後端ポール部４からなる。
図１は、本発明に係るアタッチメント取替可能な三段伸縮式警棒１の伸縮時の外観を示す側面図である。図２は、同じく、三段伸縮式警棒１の伸長時の外観を示す側面図である。
【００１１】
先端ポール部２は、先端ポール５と、その先端内面に設けたアタッチメント取付用ネジ部６と、それに係合する先端保護キャップ７と、後端内面に設けた先端ポール５を中間ポール部３に係合する固定具８と、固定具８用の孔ａとからなる。
先端ポール５はアルミ製パイプであり、全長２０．２ｃｍ、ポール先端の外側直径１．６ｃｍ、ポール先端の内側直径１．２ｃｍ、先端の厚み０．４ｃｍであり、ポール後端の外側直径１．７ｃｍ、ポール後端の内側直径１．２ｃｍ、後端の厚み０．５ｃｍである。
先端ポール５の後端から１．０ｃｍの位置において、中心に直径０．８ｃｍの孔ａを設け、固定具８用の穴とする。この孔ａは伸長時に使用する。
【００１２】
先端ポール５の先端内面に設けるアタッチメント取付け用ネジ部６はアルミ製で、全長２ｃｍ、外側の直径１．２ｃｍ、内側の直径０．８ｃｍ、厚み０．４ｃｍであり、内側にネジ山が刻まれている。このアタッチメント取付け用ネジ部６を金属用接着剤で先端ポール５先端の内側に固定する。
この先端ポール５の先端部の断面図を図３に示す。
【００１３】
先端保護キャップ７はアルミ製一体成型物で、キャップ部９とネジ部１０とからなる。
先端保護キャップ７は全長２．０ｃｍであり、キャップ部９は長さ１．０ｃｍ、直径２．０ｃｍであり、ネジ部１０は長さ１．０ｃｍ、直径０．７ｃｍである。
この先端保護キャップ７の断面図を図４に示す。
【００１４】
固定具８は、アルミ製ハウジング１１、係止具１２、およびバネ１３からなる。
アルミ製ハウジング１１は、長手方向と直交する方向の中心に、係止具１２およびバネ１３を収容する直径０．９ｃｍの貫通孔ｂを設ける。
係止具１２は、全長２．０ｃｍ、直径０．８ｃｍのアルミ製棒であり、バネを係止するために、下部から０．８ｃｍの位置から上に向かって、厚さ０．１ｃｍ、直径０．９ｃｍのフランジ部を設ける。
バネ１３は、幅０．９ｃｍで、伸長時約２ｃｍ、伸縮時約１ｃｍとなる直径０．１ｃｍのスプリングである。
係止具１２は、伸長時に先端ポール５の孔ａに挿入され、中間ポール部３に係合する。
先端ポール５と固定具８との係合を示す正面断面図Ａ、および長手方向断面図Ｂを図５に示す。
【００１５】
中間ポール部３は、中間ポール１４と、その先端の設けた固定具８用の孔ａと、後端内面に設けた中間ポール１４を後端ポール部４に係合する固定具１５と、固定具１５用の孔ｃとからなる。
中間ポール１４は、アルミ製パイプからなり、全長２０ｃｍ、ポール先端の外側直径１．９ｃｍ、ポール先端の内側直径１．７ｃｍ、先端の厚み０．２ｃｍであり、ポール後端の外側直径２．３ｃｍ、ポール後端の内側直径１．７ｃｍ、後端の厚み０．６ｃｍである。中間ポール１４の先端から１．０ｃｍの位置において、中心に直径０．８ｃｍの孔ａを設け、固定具８用の穴とする。この孔ａは伸長時に使用する。また、中間ポール１４のの後端から１．０ｃｍの位置において、中心に直径０．８ｃｍの孔ｃを設け、固定具１５用の穴とする。この孔ｃは伸長時に使用する。
固定具１５は、固定具８とほぼ同じなので、図示を省略する。
【００１６】
後端ポール部４は、後端ポール１６と、その先端の設けた固定具１５用の孔ｃと、グリップ部１７と、鍔１８と、および後端キャップ１９とからなる。
後端ポール１６はアルミ製パイプからなり、全長２１．２ｃｍ、ポール先端の外側直径２．４ｃｍ、ポール先端の内側直径２．２ｃｍ、先端の厚み０．２ｃｍであり、ポール後端の外側直径２．７ｃｍ、ポール後端の内側直径２．３ｃｍ、後端の厚み０．４ｃｍである。
後端ポール１６の後端の外側には、１ｃｍにわたり後端キャップ１９用のネジが刻まれている。
グリップ部１７は、後端ポール１６後端のネジ部１ｃｍの先から１４．２ｃｍにわたり、網目状にカットされて形成されている。
グリップ部９の先には、０．６ｃｍのネジ状の鍔取付部が形成されている。
【００１７】
鍔１８は、厚さ０．４ｃｍ、最大幅７．３ｃｍ、側面幅４ｃｍのアルミ製板状物で、その中心に後端ポール１６に嵌め込むための直径２．６ｃｍの穴２０、および穴２０の側面に横幅１．１ｃｍ、縦幅０．２ｃｍの紐を通すための穴２１を設け、穴２０に沿って環状の０．７ｃｍ幅、穴２１の長径（横幅）に平行の鍔の先端部は横幅１．０ｃｍであり、鍔の先端部には長さ１ｃｍの前方方向に向かった立ち上がり部２２を設ける。
紐は、警棒を落としたりしないようにするためのものであるが、図示を省略する。
この鍔１０の平面図を図６Ｃに、側面図を図６Ｄに示す。
【００１８】
後端キャップ１９は、先端ポール５および中間ポール１４が後端ポール部４の後端から抜けない様にするためのものであり、厚さ０．３ｃｍのアルミ製で、キャップの外側直径３．０ｃｍ、キャップの内側直径２．７ｃｍであり、内側先端部１ｃｍにわたりネジが刻まれている。
後端キャップ１９の内側には、伸縮時に中に収納されている先端ポール５および中間ポール１４が自由に移動しないようにするための留め具２３を設ける。
後端キャップ１９底の中心部に直径０．３ｃｍの穴を空け、後端キャップ１９外側には直径０．５ｃｍ、深さ０．２ｃｍの溝を設ける。そして、外側から長さ１．０ｃｍ、直径０．３ｃｍのネジ部を有するネジ２４で留め具２３を固定する。
この後端ポール１６の後端部の断面図を図７に示す。
【００１９】
留め具２３は、厚さ０．０５ｃｍ、幅０．６ｃｍのアルミ製コ字状板状物で、後端キャップ１９底に接するネジ止め部の長さ１．０ｃｍ、内側への立ち上がり部の長さ４．４ｃｍである。なお、後端キャップ１９底から約３．２ｃｍの所から内側に曲げるために、後端キャップ１９底から内側方向への立ち上がり部の直線状の長さは４．２ｃｍになる。
後端キャップ１９と留め具２３との平面図を図８Ｅに、側面図を図８Ｆに示す。
【実施例２】
【００２０】
実施例２は、三股アタッチメント取付警棒２５の例である。すなわち、実施例１の三段伸縮式警棒１において、先端保護キャップ７の代わりに、先端ポール５の先端内面に設けられたアタッチメント取付用ネジ部６に、三股アタッチメント２６を係合する。
三股アタッチメント２６は、アルミ製棒状基台２７の下部にアタッチメント取付け用ネジ部６と係合するネジ２８を一体成形して設け、アルミ製棒状基台２７の先端部側面に３本のアルミ製棒２９を、正面視１２０°の間隔をあけて、側面視、前方方向に約３０°の角度で、均等に溶接することにより形成する。
アルミ製棒状基台２７は、長さ２．５ｃｍ、直径２ｃｍであり、その下部のネジ部２５は、長さ１．５ｃｍ、直径０．７ｃｍである。
アルミ製棒２９は、長さ９．５ｃｍ、直径１．２ｃｍである。
この三股アタッチメント２６の正面図を図９に、断面図を図１０に示す。
【００２１】
前記の三股アタッチメント２６を実施例１のアタッチメント取付可能な三段伸縮式警棒１に係合した三股アタッチメント取付警棒２５について、その伸長時の外観を示す側面図を図１１に、また、その伸縮時の外観を示す側面図を図１２に示す。
【実施例３】
【００２２】
実施例３は、足掛けアタッチメント取付警棒３０の例である。すなわち、実施例１の三段伸縮式警棒１において、先端保護キャップ７の代わりに、先端ポール５の先端内面に設けられたアタッチメント取付用ネジ部６に、足掛けアタッチメント３１を係合する。
足掛けアタッチメント３１は、所定長さのポール３２と、ポール３２の基端部に湾曲した足掛け３３を溶接することにより形成する。
ポール３２は、アルミ製パイプからなり、外側直径１．２ｃｍ、内側直径０．８ｃｍ、厚さ０．４ｃｍであり、長さ２０．０ｃｍの直線形状であって、その下部にアルミ製ネジ３４を金属用接着剤で固定して設ける。このネジ３４のネジ部は、長さ１．５ｃｍ、直径０．７ｃｍである。
このネジ３４をアタッチメント取付用ネジ部６に係合して固定する。
足掛け３３は、アルミ製パイプからなり、外側直径１．２ｃｍ、内側直径０．８ｃｍ、厚み０．４ｃｍであって、中心点より半径で１０．０ｃｍ×１５ｃｍの楕円形を半分で切断した形のものである。
この足掛け３３をポール３２の後端の部分から１０．０ｃｍの箇所に枝分かれするように溶接する。
この足掛けアタッチメント３１の側面図を図１３に示す。また、この足掛けアタッチメント３１のポール３２下部の断面図を図１４に示す。
なお、足掛けアタッチメント取付警棒３０の外観図は、図１１、および図１２の三股アタッチメント２６の代わりに取替えるものなので、図示を省略する。
【実施例４】
【００２３】
実施例４は、二股足掛けアタッチメント取付警棒３５の例である。すなわち、実施例１の三段伸縮式警棒１において、先端保護キャップ７の代わりに、先端ポール５の先端内面に設けられたアタッチメント取付用ネジ部６に、二股足掛けアタッチメント３６を係合する。
二股足掛けアタッチメント３６は、所定長さの二股用ポール３７と、二股用ポール３７の先端部に湾曲した二股足掛け３８を溶接することにより形成する。
二股用ポール３７は、アルミ製パイプからなり、外側直径１．２ｃｍ、内側直径０．８ｃｍ、厚さ０．４ｃｍ、であり、、長さ１０．０ｃｍの直線形状であって、その下部にアルミ製ネジ３９を金属用接着剤で固定して設ける。このネジ３９のネジ部は、長さ１．５ｃｍ、直径０．７ｃｍである。
このネジ３９をアタッチメント取付用ネジ部６に係合して固定する。
二股足掛け３８は、アルミ製パイプからなり、外側直径１．２ｃｍ、内側直径０．８ｃｍ、厚み０．４ｃｍであって、中心点より半径で１０．０ｃｍ×１５ｃｍの楕円形を半分で切断した形のものであり、これを２つ用いての二股用ポール３７先端に二股に枝分かれするように溶接する。
二股足掛け３８は、二股用ポール３７の後端から二股の最も遠い部分の直線の長さは、２５．０ｃｍである。
この二股足掛けアタッチメント３６の側面図を図１５に示す。なお、この二股足掛けアタッチメント３６の二股用ポール３７下部の断面図は図１４と同じなので省略する。
また、二股足掛けアタッチメント取付警棒３５の外観図は、図１１、および図１２の三股アタッチメント２６の代わりに取替えるものなので、図示を省略する。
【産業上の利用可能性】
【００２４】
本発明に係るアタッチメント取替可能な警棒は、警棒の先端部分を取替え可能にすることであらゆる状況に使用可能になり、現在使用されて特殊警棒よりも遥かに使い易く安全に利用できる防犯器具を提供することができる。
また、本発明に係る三股アタッチメント取付警棒は、刃物等の凶器を持った事件が多発する昨今、今まで以上に安全に使用でき、使用者の負傷を最小限に抑えることができる。
さらに、本発明に係る足掛けアタッチメント取付警棒は、犯人のみならず、最近増えてきているクマ・イノシシ・サル等の逃亡を防ぐことができる。
【図面の簡単な説明】
【００２５】
【図１】本発明に係るアタッチメント取替可能な三段伸縮式警棒１の伸縮時の外観を示す側面図である。
【図２】本発明に係るアタッチメント取替可能な三段伸縮式警棒１の伸長時の外観を示す側面図である。
【図３】先端ポール５の先端部分の断面図である。
【図４】先端保護キャップ７の断面図である。
【図５】先端ポール５と固定具８との係合を示す正面断面図Ａ、および長手方向断面図Ｂである。
【図６】鍔１８の平面図Ｃ、側面図Ｄである。
【図７】後端ポール１６の後端部の断面図である。
【図８】留め具２３の後端からの平面図Ｅ、後端キャップ１９と留め具２３との側面図Ｆである。
【図９】三股アタッチメント２６の正面図である。
【図１０】三股アタッチメント２６の断面図である。
【図１１】三股アタッチメント取付警棒２５の伸長時の外観を示す側面図である。
【図１２】三股アタッチメント取付警棒２５の伸縮時の外観を示す側面図である。
【図１３】足掛けアタッチメント３１の側面図である。
【図１４】足掛けアタッチメント３１下部の断面図である。
【図１５】二股足掛けアタッチメント３６の側面図である。
【符号の説明】
【００２６】
１    三段伸縮式警棒
２    先端ポール部
３    中間ポール部
４    後端ポール部
５    先端ポール
６    アタッチメント取付用ネジ部
７    先端保護キャップ
８    固定具
９    キャップ部
１０    ネジ部
１１    アルミ製ハウジング
１２    係止具
１３    バネ
１４    中間ポール
１５    固定具
１６    後端ポール
１７    グリップ部
１８    鍔
１９    後端キャップ
２０    後端ポール１６に嵌め込むための穴
２１    紐を通すための穴
２２    鍔先端の立ち上がり部
２３    留め具
２４    ネジ
２５    三股アタッチメント取付警棒
２６    三股アタッチメント
２７    アルミ製棒状基台
２８    アルミ製棒状基台２７のネジ部
２９    アルミ製棒
３０    足掛けアタッチメント取付警棒
３１    足掛けアタッチメント
３２    ポール
３３    足掛け
３４    ポール３２のネジ
３５    二股足掛けアタッチメント取付警棒
３６    二股足掛けアタッチメント
３７    二股用ポール
３８    二股足掛け
３９    二股用ポール３７のネジ
ａ    先端ポール５および中間ポール１４の固定具８用の孔
ｂ    固定具８におけるアルミ製ハウジング１１の貫通孔
ｃ    中間ポール１４および後端ポール１６の固定具１５用の孔
【図１】
2007192523.tif 000003
【図２】
2007192523.tif 000004
【図３】
2007192523.tif 000005
【図４】
2007192523.tif 000006
【図５】
2007192523.tif 000007
【図６】
2007192523.tif 000008
【図７】
2007192523.tif 000009
【図８】
2007192523.tif 000010
【図９】
2007192523.tif 000011
【図１０】
2007192523.tif 000012
【図１１】
2007192523.tif 000013
【図１２】
2007192523.tif 000014
【図１３】
2007192523.tif 000015
【図１４】
2007192523.tif 000016
【図１５】
2007192523.tif 000017
【手続補正書】
【提出日】平成18年7月13日(2006.7.13)
【手続補正１】
【補正対象書類名】明細書
【補正対象項目名】０００３
【補正方法】変更
【補正の内容】
【０００３】
しかし、伸長しても棒状であるから、手で握って使用する際に、手や手首を相手の武器
から保護することはできない。
そのために、鍔や各種のアタッチメントを警棒本体のグリップ部に取付ける特殊警棒が
提案されている。しかしながら、刃物を持った凶悪犯を制圧するには非常に危険である。
【特許文献１】特開平０８−０４２９９６号公報
【特許文献２】特開平０５−０７９７９４号公報
【特許文献３】特開平０５−０９９５９５号公報
【特許文献４】特開平０５−２８０８９７号公報
【特許文献５】特開平０６−０７４６９２号公報